(57)【要約】【課題】  簡易な構成により物品を容易且つ確実に梱包することができる物品保持具を提供する。【解決手段】  可撓性の袋体２０に物品Ｇと共に収納されて包装箱本体１０内で物品Ｇを保持する物品保持具１であって、矩形状の支持板２と、支持板２の互いに対向する一対の縁部に折り線３を介して連設された弾性片４とを備え、折り線３から支持板２および弾性片４の双方に向けてそれぞれ複数の切込部５ａ，５ｂ，６ａ，６ｂを形成して弾性片４を折り線３で折り曲げることにより、隣接する切込部５ａ，５ｂ；６ａ，６ｂの間にロック片７が形成される。【選択図】  図１
2019094066.tif 000002
【特許請求の範囲】
【請求項１】
可撓性の袋体に物品と共に収納されて包装箱本体内で物品を保持する物品保持具であって、
矩形状の支持板と、前記支持板の互いに対向する一対の縁部に折り線を介して連設された弾性片とを備え、
前記折り線から前記支持板および前記弾性片の双方に向けてそれぞれ複数の切込部を形成して前記弾性片を前記折り線で折り曲げることにより、隣接する前記切込部の間にロック片が形成される物品保持具。
【請求項２】
前記ロック片は、前記折り線よりも前記支持板側の最大幅が前記弾性片側の最大幅よりも大きい請求項１に記載の物品保持具。
【請求項３】
請求項１または２に記載の物品保持具を収納した可撓性の袋体が包装箱本体に収容された包装箱であって、
前記包装箱本体は、天面側に設けられた一対の天面内フラップの先端に折り曲げ可能に設けられた押圧片を備える包装箱。
【請求項４】
前記物品保持具は、前記支持板の前記各弾性片の間で互いに対向する一対の縁部に形成された切欠部を備え、
前記押圧片は、前記切欠部に挿入される挿入部を備える請求項３に記載の包装箱。
【請求項５】
前記包装箱本体は、底面側に設けられた一対の底面内フラップの先端および一対の底面外フラップの先端に折り曲げ可能な起立片を備えており、
前記包装箱本体の内部で前記起立片を底面から起立させることにより、前記物品保持具を前記押圧片および前記起立片によって挟持する請求項４に記載の包装箱。
【発明の詳細な説明】
【技術分野】
【０００１】
本発明は、物品保持具および包装箱に関し、より詳しくは、可撓性の袋体に物品と共に収納されて包装箱内で物品を保持する物品保持具、および、このような物品保持具を備える包装箱に関する。
【背景技術】
【０００２】
物品を段ボール箱等の包装箱に梱包する場合、物品が運搬中に衝撃を受けて損傷しないように、物品と包装箱との間に緩衝材を介在させて包装箱内の隙間を埋めることが従来から行われている（例えば、特許文献１）。
【０００３】
ところが、従来の緩衝材は、物品の形状や大きさに合わせて設計を行う必要があり、大量の梱包を必要とする企業以外には、金型等のコストをかけて専用の緩衝材を製作するのは現実的ではなかった。そのため、発泡材や紙等の小緩衝物を詰め込むという方法が一般的となっている。この梱包方法は、手軽に作業ができる反面、大量のゴミを発生させることと、商品の見栄えの悪さが問題となっている。また、梱包した物品が液状物を含む場合には、物品が損傷する等して液漏れが生じると、他の荷物を汚したり、廃棄処理が面倒になるという問題があった。
【０００４】
一方、最近では、インターネット通販や個人間の物品売買により、多品種の物品を梱包する機会が増えており、商品の形状に柔軟に対応し、手軽かつ安全に梱包することへのニーズが高まっている。
【先行技術文献】
【特許文献】
【０００５】
【特許文献１】特開２０００−２５８３９号公報
【発明の概要】
【発明が解決しようとする課題】
【０００６】
そこで、本発明は、簡易な構成により物品を容易且つ確実に梱包することができる物品保持具および包装箱の提供を目的とする。
【課題を解決するための手段】
【０００７】
本発明の前記目的は、可撓性の袋体に物品と共に収納されて包装箱本体内で物品を保持する物品保持具であって、矩形状の支持板と、前記支持板の互いに対向する一対の縁部に折り線を介して連設された弾性片とを備え、前記折り線から前記支持板および前記弾性片の双方に向けてそれぞれ複数の切込部を形成して前記弾性片を前記折り線で折り曲げることにより、隣接する前記切込部の間にロック片が形成される物品保持具により達成される。
【０００８】
この物品保持具において、前記ロック片は、前記折り線よりも前記支持板側の最大幅が前記弾性片側の最大幅よりも大きいことが好ましい。
【０００９】
また、本発明の前記目的は、上記の物品保持具を収納した可撓性の袋体が包装箱本体に収容された包装箱であって、前記包装箱本体は、天面側に設けられた一対の天面内フラップの先端に折り曲げ可能に設けられた押圧片を備える包装箱により達成される。
【００１０】
この包装箱において、前記物品保持具は、前記支持板の前記各弾性片の間で互いに対向する一対の縁部に形成された切欠部を備えることが好ましく、前記押圧片は、前記切欠部に挿入される挿入部を備えることが好ましい。
【００１１】
更に、前記包装箱本体は、底面側に設けられた一対の底面内フラップの先端および一対の底面外フラップの先端に折り曲げ可能な起立片を備えることが好ましく、前記包装箱本体の内部で前記起立片を底面から起立させることにより、前記物品保持具を前記押圧片および前記起立片によって挟持することができる。
【発明の効果】
【００１２】
本発明によれば、物品の形状に拘らず、簡易な構成により物品を容易且つ確実に梱包することができ、高い緩衝性を有する物品保持具および包装箱を提供することができる。また、これによって、緩衝材の専用設計を不要にしつつ梱包物の見栄えを良好に保つことができ、ゴミの発生も防止できて、更には梱包物からの液漏れを防止することが可能になる。
【図面の簡単な説明】
【００１３】
【図１】本発明の一実施形態に係る物品保持具のブランクを示す図である。
【図２】本発明の一実施形態に係る包装箱を構成する包装箱本体のブランクを示す図である。
【図３】図１に示す物品保持具を組み立てて物品と共に袋体に収納する工程を示す平面図である。
【図４】図２に示す包装箱本体を組み立てて図３に示す袋体を収容する工程を示す平面図である。
【図５】本発明の他の実施形態に係る包装箱本体のブランクを示す図である。
【図６】本発明の更に他の実施形態に係る包装箱本体のブランクを示す図である。
【図７】図６に示す包装箱本体を組み立てた状態を示す平面図である。
【発明を実施するための形態】
【００１４】
以下、本発明の実施の形態について、添付図面を参照して説明する。図１は、本発明の一実施形態に係る物品保持具のブランクを示す図である。図１に示すように、物品保持具１は、段ボール等の厚紙からなり、矩形状の支持板２と、支持板２の互いに対向する一対の長辺側縁部に折り線３，３を介して連設された弾性片４，４とを備えている。
【００１５】
各折り線３の中央部には、折り線３から支持板２および弾性片４の双方に向けてそれぞれ延びる２つの切込部５ａ，５ｂ；６ａ，６ｂが形成されており、これら切込部５ａ，５ｂ；６ａ，６ｂの間に、折り線３で折り曲げ可能なロック片７が形成されている。
【００１６】
ロック片７は、折り線３から支持板２および弾性片４の双方に向けて徐々に幅狭となるテーパ状とされており、折り線３よりも支持板２側の最大幅が、弾性片４側の最大幅よりも大きくなるように形成されている。ロック片７を形成する両側の切込部５ａ，６ａ；５ｂ，６ｂは、折り線３に沿って切り込まれた段部８ａ，８ｂを介して連続している。
【００１７】
支持板２の各弾性片４，４の間で互いに対向する一対の短辺側縁部の中央には、矩形状の切欠部９，９が形成されている。弾性片４は、折り線３で折り曲げたときに切欠部９，９から露出しないように、先端両側の角部が滑らかに切り欠かれている。
【００１８】
上記の構成を備える物品保持具１は、後述するように可撓性の袋体に物品と共に収納されて、包装箱本体内で物品を保持する。
【００１９】
図２は、図１に示す物品保持具１が収容される包装箱本体１０のブランクを示す図である。包装箱本体１０は、一対の側板１１，１１および一対の端板１２，１２が折り線を介して交互に連設されており、一方の側板１１の端部には折り線を介して継代片１３が連設されている。
【００２０】
一対の側板１１，１１は、天面側となる上方に、折り線を介して天面外フラップ１４，１４が連設されており、底面側となる下方に、折り線を介して底面外フラップ１７，１７が連設されている。また、一対の端板１２，１２は、天面側となる上方に、折り線を介して天面内フラップ１５，１５が連設されており、底面側となる下方に、折り線を介して底面内フラップ１８，１８が連設されている。
【００２１】
天面内フラップ１５，１５の上方には、折り線を介して押圧片１６，１６が連設されている。押圧片１６，１６の上端には、上方に突出する挿入部１６ａ，１６ａが折り線を介して設けられている。挿入部１６ａは、物品保持具１の切欠部９と略同じ大きさの矩形状に形成されており、折り線で折り曲げ可能とされている。
【００２２】
次に、上記の構成を備える物品保持具１および包装箱本体１０を用いて物品を梱包する方法を説明する。まず、図３（ａ）に示すように、透明なビニール袋等からなる可撓性の袋体２０の上部に形成された開口部２０ａから、物品保持具１を物品Ｇと共に収容する。物品保持具１は、弾性片４，４が袋体２０の左右両側に配置される向きとする。
【００２３】
ついで、袋体２０の開口部２０ａを矢示Ａで示すように裏側に折り返した後、袋体２０の左右両側を矢示Ｂで示すように弾性片４，４と共に裏側に折り返すことにより、図３（ｂ）に示すように、袋体２０が支持板２の外周に沿うように閉じられる。
【００２４】
次に、左右のロック片７，７を、袋体２０の上から矢示Ｃで示すように押圧すると、ロック片７，７の縁部側が袋体２０の裏側を押圧して袋体２０に張力が作用し、支持板２上に物品Ｇが固定される。ロック片７は、上記のとおり、支持板２側の最大幅が弾性片４側の最大幅よりも大きく形成されているので、ロック片７の押圧により、ロック片７の支持板２側が弾性片４側の切込部の間に確実に挟持される。こうして、物品Ｇの多種多様な形状に拘らず、袋体２０に張力が作用した状態を維持することができ、専用装置を使用することなく、袋体２０内に物品Ｇを容易に密封することができる。ロック片７は、本実施形態ではテーパ状に形成しているが、その形状は特に限定されるものではない。また、ロック片７は、支持板２の縁部に沿って複数形成することも可能である。なお、収容する物品Ｇが嵩高である場合には、袋体２０の幅に対して物品保持具１の左右方向の幅が小さいものを使用してもよく、あるいは、物品保持具１を袋体２０に収容する際に、弾性片４，４のいずれか一方を予め折り曲げた状態にしてもよい。
【００２５】
図２に示す包装箱本体１０は、一対の側板１１，１１および一対の端板１２，１２を筒状に折り曲げて継代片１３を貼り付けた後、底面内フラップ１８，１８および底面外フラップ１７，１７をこの順で折り曲げて、底面外フラップ１７，１７の合わせ部を粘着テープ等で閉じることにより、包装箱本体１０の底面側を形成する。
【００２６】
図４（ａ）は、こうして得られた包装箱本体１０に、図２（ｂ）に示す袋体２０を収容した包装箱３０の平面図である。図４（ａ）に示す状態から、挿入部１６ａ，１６ａおよび押圧片１６，１６を、それぞれ押圧片１６，１６および天面内フラップ１５，１５に対して直角に折り曲げた後、天面内フラップ１５，１５を包装箱本体１０の開口に沿うように折り曲げることにより、挿入部１６ａ，１６ａが袋体２０の上方から切欠部９，９の内部に挿入されて、図４（ｂ）に示す状態になる。最後に、天面外フラップ１４，１４を折り曲げて、天面外フラップ１４，１４の合わせ部を粘着テープ等で閉じることにより、包装箱３０の梱包作業が完了する。
【００２７】
このように、本実施形態の物品保持具１は、ロック片７，７を備えることにより、支持板２上に物品Ｇを容易に固定することができると共に、袋体２０を確実に閉じて、物品Ｇから仮に液漏れが生じた場合でも袋体２０の外部への漏出を防止することができる。また、折り曲げた弾性片４，４がクッション材の役割を果たすため、搬送中に物品Ｇが受ける衝撃を緩和することができる。したがって、簡易な構成により、物品Ｇを容易且つ確実に梱包することができる。物品保持具１は、使用後に再利用することが可能であり、廃棄物の排出量を抑制して環境負荷の軽減を図ることができる。
【００２８】
また、本実施形態の包装箱３０は、包装箱本体１０の天面側に設けられた一対の天面内フラップ１４，１４の先端に折り曲げ可能に設けられた押圧片１６，１６を備えており、物品保持具１および物品Ｇを収容した袋体２０を、押圧片１６，１６により押圧して固定することができるので、搬送中に物品Ｇが包装箱本体１０内で移動するのを確実に防止することができる。
【００２９】
更に、物品保持具１は支持板２の縁部に切欠部９，９が形成され、押圧片１６，１６は挿入部１６ａ，１６ａを備えているので、挿入部１６ａ，１６ａを切欠部９，９に挿入することにより、袋体２０が挿入部１６ａ，１６ａと切欠部９，９との間に挟まれて固定される。こうして、袋体２０を確実に封止することができる。
【００３０】
以上、本発明の一実施形態について詳述したが、本発明の具体的な態様は蒸気実施形態に限定されない。例えば、包装箱本体１０の構成は特に限定されるものではなく、図５に示すように、一対の底面外フラップ１７，１７が貼着片１７ａ，１７ａおよび噛合片１７ｂ，１７ｂを備えており、噛合片１７ｂ，１７ｂ同士を噛合させると共に、貼着片１７ａ，１７ａを底面内フラップ１８，１８の外面に貼着することにより底面を形成する、いわゆるボトムロック型の包装箱本体１０’を使用することもできる。なお、図５において、図２等と同様の構成部分には同一の符号を付している（以下の図においても同様）。
【００３１】
また、図６に示すように、一対の底面外フラップ１７，１７および一対の底面内フラップ１８，１８の先端（下端）に、折り線を介してそれぞれ起立片１７ｄ，１７ｃ，１７ｄおよび起立片１８ａを備えた包装箱本体１０’’を使用することもできる。この包装箱本体１０’’は、底面を形成する際に、底面外フラップ１７および底面内フラップ１８に対して、起立片１７ｄ，１７ｃ，１７ｄおよび起立片１８ａを折り曲げて、図７に示すように、起立片１７ｄ，１７ｃ，１７同士を互いに当接させて、底面を形成することができる。また、起立片１７ｃ，１７ｄ，１８ａは、包装箱本体１０’’の内部で底面から起立した状態になるため、図３（ｂ）に示す袋体２０に収容された物品保持具１を、押圧片１６および起立片１７ｃ，１７ｄ，１８ａによって挟持し、物品Ｇが受ける衝撃を軽減することができる。
【００３２】
図６に示す包装箱本体１０’’は、天面外フラップ１５，１５の合わせ部に、折り部を介してそれぞれ当接片１４ｂ，１４ａ，１４ｂが設けられており、当接片１４ｂ，１４ａ，１４ｂ同士が互いに当接するように折り曲げることで、天面を形成することができる。天面内フラップ１５および底面内フラップ１８には、それぞれスリット１５ａ，１８ｂが形成されており、スリット１５ａ，１８ｂには、それぞれ当接片１４ｂ，１７ｄが挿入される。
【符号の説明】
【００３３】
１  物品保持具
２  支持板
３  折り線
４  弾性片
５ａ，５ｂ  切込部
６ａ，６ｂ  切込部
７  ロック片
９  切欠部
１０  包装箱本体
１１  側板
１２  端板
１４  天面外フラップ
１５  天面内フラップ
１６  押圧片
１６ａ  挿入部
１７  底面外フラップ
１７ｃ，１７ｄ  起立片
１８  底面内フラップ
１８ａ  起立片
２０  袋体
３０  包装箱
Ｇ  物品
【図１】
2019094066.tif 000003
【図２】
2019094066.tif 000004
【図３】
2019094066.tif 000005
【図４】
2019094066.tif 000006
【図５】
2019094066.tif 000007
【図６】
2019094066.tif 000008
【図７】
2019094066.tif 000009